(57)【要約】【課題】考えが極めて低いが、速度効率が高い、画面ガイド付きの漢字骨格コード入力法が提供されている。【解決手段】画面提示画面付きの漢字骨格コード入力法は、漢字の字形特徴に応じて、それぞれの骨格分類に分けられ、骨格が同じ漢字クラスターをそれぞれ一定の規則で並べられ、各骨格は１つの代表字形で構成され、骨格種類表とそれぞれのクラス内文字セットを形成することができる。使用者は、必要な骨格カテゴリの代表字またはクラス内の具体的な文字を選択して入力する。
2020530601.tif 000002
【特許請求の範囲】
【請求項１】
画面提示画面を備えた漢字骨格コード入力法は、次のステップで入力が完了することを特徴とする。１）漢字の字形特徴に応じて、それぞれの骨格の種類に分けられ、骨格が同じ漢字のクラスターをそれぞれ一定の規則で並べられ、各骨格は代表字で表され、骨格の種類が形成されている。クラス表とそれぞれのクラス内文字セット；２）コンピュータによって各種の骨格の代表字、およびそれぞれの全部または部分が骨格文字となって表示され、異なる「仮想キーパッド」エリアにヒント画面が表示されます。３）使用者は必要な骨格カテゴリの代表字またはクラス内具体のある単語を選択して入力します。
【請求項２】
漢字の内部成分を分類し、それぞれ符号を取り、前記各漢字の「骨格コード」を構成し、骨格コードの全体すなわち全字符号化は、同一の骨格の１種類の文字を表し、全字符号化はその中の１つであることを特徴とする請求項１に記載の漢字バックボーン入力方法。部コード構成は、その内部符号化の取コード；１）は、全体構成特徴のみによって分類することができる。方式１、全体の組み合わせ順；方式２、全体の組み合わせ回数；ａ．基本構造は、主に独立体、雑合に分けられる，（「十」型「多枝」を含む），包囲、部分包囲、上下、上下（「三」型）、左右、左中右（「川」型）、ｂ．混合構造、左（中）右、後（中）下に分け、下（中）、左（中）右
（中）、後（中）右（≒品”型）およびそれぞれに包囲、半囲（≒Ｌ型）を含み、何度も混合して、まず左右に分けます。後は上下、後は左右（≒「品」を含む），上から下、後に分けて、上から下（≒は「品」型を含む）とそれぞれに囲い、半囲み（≒は「Ｌ」型を含む）を含みます。方式三、全体の部品数によって、大体２行ｘ２
列、３行ｘ３列の部品構造、及び対応するキーレイアウトに分けて、九宮構造の３行ｘ３列の配置の四辺中点のシンボルを称します。「中元」は、２行×２列の４つのブロック、特に３行×３列の四隅のブロックに相当しま
す。２）シンボルの種類の特徴によって分類してもいいです。漢字の筆画は、横這い押えの５種類しかなく、「−」以外は、どの漢字も２次元の網状を構成しています。すべての筆画は対応する構造に写像されます。「グ
リッドモデル」の対応する線分には、複数の平行な横線、縦線、斜め線が織り込まれています。つまり二次元方
向に展開された複数の「田」字格と対角線を加えて構成されています。モデルの各交点は、横線ｘ軸、縦線ｙ軸以外に、４本の斜め対角線を加えて交差しています。線は全部で８本の「米」の形をしている分岐を加えたり、非４５°の角度によってさらに多くの線を設けたりすることができます。例えば、２２．５度ごとに１本増えれば、交点ごとに１６本の分岐があります。交点単位で漢字「親網」を分解します。マクロ的には２つの基本構造の大きな種類に分割できます。交［枝］［多枝］、――開放と閉鎖の区分基準は、複数の交点の間に画数が首尾一貫しているかどうか、構成された「口」の字が閉じられている画数群領域（または閉じられた部品）、あるものは閉鎖構造、ないものは開放構造である。ａ．「閉じたシンボル」は、主に筆が不要な「口」を指し、また増加することができる。加角にはペンが必要な「ブロック」があり、新しい補足案を構成する。――及びオプションとして、三角ブロックの「開放シンボル」は、主に「交」、「枝」、「多枝」、「交」は多くの筆画が一つの交点に交差することを指し、「枝」は複数の完全または不完全な「交」が一次元方向の直線的な組み合わせを指し、複数の完全または不完全なものを指す。完全な「交」は二次元方向の線形結合では「多枝」となり、＊それらは以下の詳細特徴によってさらに小種を細分化することができる。完全度、向き、絶対位置、下位シンボルの個数（「枝」に含まれる交点数、「交」の各交点上の分岐数、「ブロック」の必要ペン数、ブロック内の分割ブロックの数量及び内容を含む）＊漢字１つの内部の異なる成分は、例えば、画数、画数群（または部品）の間、異なる部分網の間で、互いに離れて、繋がって、交差する方位関係に分けられます。３）シンボルの組み合わせの特徴によってのみ分類できます。関連／交差、４）同理で、上記の特徴に対してさらに交差して分類することができます。例えば、上記の特徴１、３のクロス分類は、主に以下のように分けられます。
2020530601.tif 000047
――矢印で示す団合シンボル、矢印の末尾には開放シンボルがあり、┏は左下、左上、右上ともに閉じたシンボルがあり、┓┗┛同理は他の方向を表しています。上の表のカテゴリを必要に応じて異なるキーにマッピングすることができます。＊「骨格コード」内部コードの分割と映射、入力：漢字全体を内の文字にします。部分の切れ目、シンボルの種類は限界であり、「切り離せない、接続できない」の分割後、骨格コードが同じ漢字クラスターを同一の「キー」にマッピングし、ユーザーが選択し、入力します。「キー」は、「スクリーン仮想キー」の上で、かつ、その「骨格コード」の全体を示すことができます。体符号化の代表語と、その代表的な、全部または部分的に同じ骨格の重いコードワードを提示する必要があることによって、ユーザに入力を促すことができ、また、本体のキーに同理的にマッピングしてもよく、その「骨格コード」全体符号化の代表語とその代表的な全部または部分が骨格の重いコードワードをスクリーン上に同時に提示する必要があることに応じて、選択のために、キーパッドのレイアウトは、必要に応じて調整され、相対的な方位のように、特に「字の中でコードとキーパッドのマッピングの方位の基本的な一致の原則」を押してレイアウトすることができます。例えば、「中心放射構造」は、取り符号シンボル、特に「ブロック」の漢字全体における位置によって、「二」に配置されます。キーエリアの対応するキーエリア、−「中心逆放射構造」と同じように、反対方向の各キーを合わせます。同じように、シンボルの種類によって、キーレイアウトを設定したり、個性の好みに応じて任意のキーレイアウトを設定したりできます。
【請求項３】
請求項１および２に記載のスクリーンプロンプトインタフェース付き漢字骨格コード入力法は、前記各「骨格」内部でコードを取り、分割し、マッピングした後、符号化を行い、「ワードインサートコードデータベー
ス」の好ましい態様を入力し、前記請求項１に記載の特徴２および４に従ってクロスして分類し、様々な種類の特徴に従うことを特徴とする漢字骨格コード入力方法。シンボルの種類、方位構造の大きさカテゴリの特徴は、それぞれ対応する割当値と符号化を行います。
１）方位基本コードを含み、簡単な１０キーキーパッド「四角探しブロック」または「四角探し」形コード入力法としてもいいです。漢字符号長は一定長ではなく、全部で１０の部品コードです。コンピュータで使用できます。キーボード上の３行ｘ３列の９つの数字キーは、１つのキーは１つの部品に対応しており、部品の対応するキー名はこの部品のコードであり、漢字を構成するグループワードの部品の中から１つの部品（狭義または広義）の「ブロック」を選択し、漢字を符号化する部品として、「コードを取るとキーを打つ方向がほぼ一致する」という原則を押すことができます。選択されたコード「ブロック」の漢字全体における位置に基づいて、それぞれ３行×３列の「九宮」の二次元構造キーボードの位置にマッピングされ、この部品とコンピュータキーボードの対応するキーパッドの
2020530601.tif 000048
マッピング」は、ワード全体の「左中（←）部」に含まれるブロック、５キーは「中（）部」、６キーは「右中（→）部」、３行目は「７キーマッピング」は、ワード全体の
2020530601.tif 000049
ド全体の「左中（←）部」に含まれるブロック、５キーは「中（）部」、６キーは「右中（→）部」、３行目は「７キーマッピング」は、ワード全体の「左下」に配置されます
2020530601.tif 000050
四角の「角のブロック」を取って、その次に各辺の中間領域の「辺のブロック」を取って、取り終わるまで順次取り外す「ブロック」の部品に対応する数字の鍵盤のシーケンスはこの字の符号化で、コンピュータのキーボードの上でこの字のコードを入力すればこの字が得られます。＊採符号（優先度）ルールは、特に符号ビットに限られ、全部採れない場合に適用されます。全字面積に占める割合の大きい部品に対して、優先的にコードを取ります。順番に、字全体、または字の半
分、１／３、１／４、１／６、１／８、１／１６を通して、の部品は、例えば「品」の内上部の延長された「口」、一つの採コードエリア（すなわち宮格）において同時に開放、閉鎖シンボルがある場合、複数の開放シンボルを優先的に取り、無視する。＊さらに重コードを識別し、同一の骨格コードキー領域の内部で、請求項２に記載の「内部微視的接合」に進むことができる。特徴を構成する」、更に領域またはサブカテゴリを細分化し、さらにヒントを与える。例えば、「相対的な方角」によると、閉じた種類のシンボルの角、辺には開放類のシンボルが接続されている。
２）九宮の構造は同じ道理で拡張できます。３ｘ３＝九宮４ｘ４＝十六宮５ｘ５＝２５宮…より正確に各部品に対応することができ、３）シンボル種類階層拡張符号化方式開放シンボルの採コードは、ともに符号化してもよく、さらに詳細な特徴に従って情報を細分化して拡充して、「文字部品機内符号化情報データベース」を略して「部品コード情報庫」と
2020530601.tif 000051
セグメントは単位コードです
各「米」の内部に順番にその各方向に分岐線分があるかどうかによって１または０を割り当てられます。「米」の形の周囲の正方形の子宮枠は、その４つの辺にそれぞれの値を割り当てられます。また、各辺を中から切り離して、８つの部分を形成した後にそれぞれの値を割り当てられます。制限符号化：グリッド（子、母グリッド）を複数の交点に分割し、それぞれ符号化する。方式３．宮格子単位、限界で符号化する。グリッド（子、母グリッド）を複数の領域に分割し、それぞれ符号化する。４．カテゴリ別に符号化し、閉じたシンボル「枠」、開放シンボル「米」に分割する。後はそれぞれ値を割り当て、符号化する；ｂ．請求項２に記載の複数の特徴を選択し、それぞれの複数の変数、割当値を定めて規則的、正確な表現を行い、数字、アルファベット、文字からなる符号化シーケンスを含み、「部品情報庫」を構成する。――韓国語では同じ理屈で、断や部品間の隙間距離が明確でない、または接続されていない、カテゴリ別に分ける必要がある場合、漢字と同じ理屈で、しかも九宮ブロック間の連続した区分による符号マップを優先し、次に新たに区分された領域内のシンボルサイズ別に細分化します。ｃ．その後、処理モジュールのルートによって処理されます。読み込んだ「部品コード情報庫」から、進数が必要なそれぞれの文字の内数、マシンコードに変換して漢字の結果を表示します。＊「部品コード情報庫」の部品シンボルの採符号は、一定の規則に従って、複数のステップに分けて順次行うことができます。
３）本発明の方法は、コードを分割し、骨格の代表字は、例えば、ペンが必要な場合、存在しないペンとペ
ヱが表示され、円形などで交点、曲がった点を強調表示して、標準情報を提供することができ、スキャン可能で正確に識別できる「新しい二次元コード」が形成される。
４）上記の「部品コード情報庫」方法では、「部品別検索」機能は全体案と同じで、
ユーザは九宮母宮格の中の任意の領域を選択し、処理モジュールは選択を受信して、当該エリア部品の骨格、重量情報を読み取り、必要に応じて表示モジュールに表示→ユーザが具体的な当該領域骨を選択するフレームまたは特定のコンポーネント、および検索→コンピュータ検索の例は、それらの１つまたは複数のスケルトンを含むかもしれません。選択のために提示されます。字形以外にも、非字形の属性情報によってカテゴリを分け、それぞれ符号化します。異なる骨格間、統一骨格内の部品間の種類、関係情報庫を構築し、共にモジュールを検索、処理する。
５）ワードライブラリの設定と呼び出しａ．必要に応じて、書庫から呼び出し、展示のためのワードセットの内容と範囲を調整することができ、等級、分類または分子セットの出力を行うことができます。特に、ワードライブラリの範囲は、「同音文字」のみを表示するように調整できます。この同音メッセージボックスの画面のモジュールは、検索犬、Ｇｏｏｇｌｅ、ｑｑにもドッキングできます。マイクロソフトなどの外部ピンイン入力法は、その入力結果を取得し、本発明の方法で、同理展示、及び後続の他の演算と機能を提供する。ｂ．本ソフトウェアはクリック選択を受け入れる以外に、ユーザーの入力を受け入れても、分解または見つけられない字はないということで、その位置を画面に強調表示し、ｃ．入力または選択する。単語を検索して、その単語からなる語を同期して表示します。同じ道理で関連するフレーズや文を表示します。――＞１つの単語の構成語を入力する時、「検索辞書、グループワードの再検索」によって、大部分の重さもフィルタできます。ルールライブラリを置くと、フォントライブラリ、辞書とは違って、複数の単語間の組み合わせの流れ、構造、結果を含めて処理モジュールによって処理されても良いし、表示モジュールに伝達されても良いし、同様の役割は、スマート・セマンティック・アルゴリズムモジュールなどがあります。ｅ．また、分かりやすい誤字を分解したり、取り違えたりするためのワードは、互換コードとして書庫に収録することができます。
【請求項４】
前記漢字スキームは、ハングルには母音子音の２種類の文字しかないので、シンボルの種類の特徴、全体的な構造特徴、シンボルの組み合わせの特徴は基本的に同等であることを特徴とする請求項１から４のいずれか一項に記載の漢字バックボーン入力法。漢字、だからシンボルの組み合わせの採コードも完全に同等で、更にマッピング、入力及び符号化を行う方法も完全にそのまま移動することができます（だから略）：韓国語の各母音子音文字は以下のように分類されています。大きさの種類によってキーボードの異なったキー、キーの名前はコードにマッピングされます。
2020530601.tif 000052
――「二枝」類では、太い枝、残りの横書きを優先的に取ることが第二とみなされますの
2020530601.tif 000053
【請求項５】
前記ステップ２の「仮想キーパッド」領域には、プロンプト画面が表示され、ユーザ入力と機器出力、さらにはインタラクティブプロセスがあり、一つの画面に結合され、同じ位置に至るまで、統一された全体的な総体を有することを特徴とする請求項１および２に記載の漢字バックボーンコード入力方法。配置と動的構造、そして見たところすなわち得られる；ａ．２つの表示方式がある。１つは、動態的に同じ骨格の代表字を骨格にくわえて積み重ねて一緒に置くことができる。各字に含まれる須筆の数、方向の違いについて、異なる形式（例えば、太い線分）で区別して表示することができる。また、動的なスライドも利用できる。このように、小さな表示領域でユーザにヒントを与えることができます。ユーザがある種の骨格をクリックしたり、選択したりした後、骨格カテゴリの下の「同類、同族」の重いコードワードを展開または拡大します。キーを押すと、最初の左、後の順に字の最初の部品、最後の部分を取って、各行は最初の部品によって揃えられます。列ごとに後ろの部品によって揃えられます。
この中で、同じ偏側の部首、声側の形などの属性特徴によって分類されます。行や列に対して、対応する二次元配列、データベース構造の中では可能です。同じ配列のレイアウトで、検索演算に便利である。ｂ．複数のディスクを同時に表示することができる。同じ原理で１つ以上のスクリーンキーボードを設定して、並列に使用し、互いに関連して、情報を追加することができる。ｃ．表示時には、処理ユニットによって表示内容、オブジェクトに別のフォーマットで表示され、強調表示される。「書式、様式」とは、異なる形状、パターン、およびスケーリング、太さ、着色、線型、グレースケール、影などの装飾方法を用いて、符号シンボルを取り、特に視覚的に最も目立つ「ブロック」、キー名、「角点」、「交点」、「端点」表示を区別し、コントラストを形成する：関連する単語など、界面提示の異なる内容の関係（関連、連想、導出、ステップ、流れなど）については、連線表示ができます。
【請求項６】
画面提示画面付き漢字骨格コード入力システムは、ユーザーからのキーボード操作、他の入力法からの文字入力、さらには他のプログラムの操作コマンドや接続先の動作および情報を取得することができることを特徴とする。対応する入力結果を取り出し、検索し、表示モジュールの表示に送信しても良いし、記憶モジュールの情報と比較して演算を行い、関連付け、表示する単語のキー（または座標）を決定し、強調表示のフォーマット、表示ワード間の結合関係の接続などを行い、インタラクティブインターフェースの変化の結果を生成して出力します。インタフェースは、表示のために使用されます。記憶モジュールは、様々なコンポーネントコード化情報ライブラリ、ワードライブラリ、コーデック結果コード表、およびワード関連データベース、スマートアルゴリズム、論理規則、意味文法規則にアクセスします。表示モジュールは、本発明の入力法提示インターフェースを表示するために使用され、文字構造化されます。レイアウトのテキスト入力プロンプトは、ユーザーに上記入力装置によって提供される。オプションの接続モジュールは、インターフェース内の各キー上の文字を、計算対象に接続して、双方向送信、取得することができる。
【請求項７】
前記接続モジュールの接続対象は、界面における各種の「字」を指し、当該文字の意味に近い対応するコンピュータ命令またはコマンドを表し、総称して対象を計算し、ある文字をクリックして、実行または運搬できることを特徴とする請求項６に記載の漢字バックボーン入力システム。
行の文字リンクの計算対象は、同じ原理の逆インターフェースの各文字で、関連する他の人、外部のプログラムからの操作または情報を指向的に受信できます。インタラクティブまたは接続可能なオブジェクトは主
に、ＵＲＬリンク、プログラミングコマンド、データオブジェクト、データベースモデル、メッシュデータ構造、モジュール、コンテナ、文字列、リンクがあります。構成体、コンビナート、配列、関数変数、コントロール、
ソースコード、コンパイラ、下のマシンコード命令、数学モデル、演算プロセス、ドッキングは、対応するコンピュータの下のコンパイル、マシンコード、命令、コード、ステートメント、対応するオブジェクトに変換されます。ダイナミックチェーンライブラリ、アプリケーションインターフェースＡＰＩ、サービス、モジュール、関連リンク、アドレス、プログラム、具体的な内容、対応規則の確定と演算は、世界共通の外部基準を確立したり、システム内のインターフェースオブジェクトデータベースに従って行うことができます。したがって、イン；
タフェース構造を統一して、ヒューマンインターフェース相互作用（入力検索、出力、情報表示、操作など）；
人人界面（コミュニケーション教育協力活動は、ユーザーの万能ソフトウェアクライアントとなる）、マシンインターフェース（各種計算装置のバックグラウンド演算の符号化、コンパイル、プログラミング開発、記憶、転送などの各レベルで、各種プログラミング演算方法の汎用的な新しいツールを実現し、プログラミング開発者が見
たとおりの視覚化プログラミングインターフェースとなる）。
【請求項８】
画面プロンプト画面を有する入力装置は、汎用コンピュータ、埋め込みコンピュータ、マクロプロセッサ、または他のデバイスにおいて、ソフトウェアまたはファームウェアによって、上記１〜７のいずれか１つの入力方法を実現することができ、主に、キーボード操作受信ユニット、実体キーボードのキー操作信号、または受信することができることを特徴とする。この仮想キーボードのキー操作信号については、マウスクリックやタッチスクリーンで検出されたタッチ信号など、本体キーボードを指すことができ、同様の構造レイアウトやキーパッドで基本的に対応する仮想キーボードシステムを含むこともできる。教育用のホワイトボードキーボード、投射用の仮想キーボードは、マウス、指、タッチスクリーン、ペン、誘導装置、脳マシンインターフェース、視点追跡装置などが利用できる。処理ユニットは、上記入力信号に基づいて、上記の符号表を検索し、対応するヒント情報を生成し、結果を表示モジュールに出力して表示するなど、保存する。メモリユニットは、様々なコンポーネントコード情報ライブラリ、ワードライブラリ、コーパスおよび重量コード結果コードテーブル、およびワード関連データベース、インテリジェントアルゴリズム、論理規則、意味文法規則表示ユニットにアクセスして、本発明の入力方法ヒント画面を表示するために、文字構造レイアウトのテキスト入力を提なお、上記入力装置による上記入力は、使用者に提供される。
【請求項９】
前記１−８のいずれか一項に記載の入力方式においてスマート連想を実現する装置は、メモリ、プロセッサ、およびメモリ上に記憶され、プロセッサ上で実行可能なコンピュータプログラムを含むことを特徴とするネットワーク入力端末。請求項１乃至９のいずれか一項に記載のステップ。
【請求項１０】
１つのコンピュータ可読記憶媒体は、プロセッサによって実行されるときに、請求項１から５のいずれか１項に記載の語彙推薦方法のステップを実現するコンピュータプログラムを記憶している。
【発明の詳細な説明】
【技術分野】
【０００１】  本発明は、画面提示画面付き漢字骨格コード入力法に関し、その面延在に基づく「文字インタフェースインタラクションおよび情報処理システム」および装置に関する。
【背景技術】
【０００２】  現在すでにあった各種ピンイン入力法には、大量の同音単語の重さ、再選択が必要な弊害があります。【０００３】  形コードの入力法は文字を分解する規則が複雑で、規則が違っていますので、習得しにくいです。五筆の字型を含めて、もうあまり使われていません。【０００４】  王雲五が発明した四角番号検字法は、実は漢字符号入力法のプログラムにも編制されて
2020530601.tif 000003
大きく、分割限界の意味がよくある。【０００５】
【発明の概要】
【発明が解決しようとする課題】
【０００６】  本発明は、上記の不足を克服するために、考え量が極めて低く、速度効率が高い、画面ガイド付きの漢字骨格コード入力法と、それに基づいて延展された漢字文字インターフェースに基づく情報インタラクティブ処理システムを提供し、韓国語にも適用される。【０００７】
【課題を解決するための手段】
【０００８】  上記の目的を実現するために採用されたコンピュータ漢字入力法技術案：【０００９】  （一）入力法の部分【００１０】  １．画面提示画面付き漢字骨格コード入力法は、以下のステップで入力が完了することを特徴とする。【００１１】  １）漢字の字形の特徴によって、それぞれの骨格の種類があり、それぞれ骨格が同じ漢字のクラスターがあり、一定の規則に従って配置されてもよい。各骨格は本発明によって自造された代表字で表され、骨格種類表とそれぞれのクラス内文字セットが形成される。【００１２】  ２）コンピュータによって各種の骨格の代表字、およびそれぞれの全部または部分が骨格文字と表示され、異なる「仮想キー」領域にヒント画面が表示される。【００１３】  ３）使用者は、必要な骨格種別の代表字またはクラス内の具体的な文字を選択して入力する。【００１４】  ２．スクリーン提示画面付き漢字骨格コード入力法。漢字の内部成分を分類し、それぞれに符号を取り、その各漢字の「骨格コード」を構成し、骨格コードの全体すなわち一字コードであり、一つの一字コードは同じ骨格の一類字を表し、一字コードはその内部コードから構成され、その内部コードの取りコード：【００１５】  １）全体の構造的特徴のみによって分類することができる。【００１６】  １つの方法では、グループ全体の順序で：【００１７】  独体類：例えば「米」；【００１８】  雑合類：「乗」は「十」型の枝とする。【００１９】
2020530601.tif 000004
【００２０】  左右類：［左右］、［左中右］、［先左右、後上下、−例えば「拮」、［先左右、後上下、後左
2020530601.tif 000005
【００２１】  上下類：［上下］、［上中下］、［先上下、後左右−−例えば品皆青］、［先上下、後左右、後上下−例えば“藉贏”…］【００２２】
2020530601.tif 000006
【００２３】  方式二、全体の組み合わせの回数：【００２４】  ａ．基本的な構造は、独立体、雑合（例えば「十」型の「多枝」を含む）、包囲、部分包囲、上下、上下（「三」型）、左右、左中右（「川」型）に分けられる。【００２５】  ｂ．混合構造は、まず左（中）、右（中）、後（中）に分け、下（中）、後（中）左（中）、右（≒品）、およびそれぞれに包囲、半包囲（≒Ｌ）を含む。【００２６】  何度も混合して、例えば先に左右を分けて、後で上下を分けて、更に左右を分けます（≒は“品”の型を含みます）、先に上下を分けて、後で左右を分けて、更に上下を分けます（≒は“品”の型をくわえます）、およびそれぞれ含んで包囲します、半分包囲します（≒「Ｌ」タイプを含む）：【００２７】方式三、全体部品数によって、大体２行ｘ２列、３行ｘ３列の部品構造、及び対応するキーパッドレイアウトに分けて、九宮構造の３行ｘ３列のレイアウトの四辺中点のシンボルを「中元」と呼び、２行ｘ２列の４つのブロック、特に３行ｘ３列の中の四隅のブロックに相当します。【００２８】  本発明の図面において「中元がない」、「中元を含む」類というのは、九宮構造の四辺中点にシンボルがあるかどうか、ないのは２行ｘ２列の合計４区の字、上／下の中点に中元があるのは２行ｘ３列の合計６区の字、左／右中点に中元があるのは３行ｘ２列の合計６区の字の上／下と左／右中元の中元がある中元の中元です。３行×３列の合計９区の字です。（この文の「／」は「または」を表します）。【００２９】２）シンボルの種類の特徴だけで分類できる――。【００３０】  漢字の筆画は横壁が五種類しかないです。「一」の字以外に、どの漢字も二次元の網状を構成しています。すべての筆画はそれぞれの構造の「グリッドモデル」の該当線分にマッピングできます。このモデルは複数の平行な横線、縦線、斜め線が織り込まれています。つまり二次元方向に展開されているのです。複数の「田」字格に対角線を加えて構成されている。【００３１】モデルの各交点は全部で複数の線が交差しています。横線ｘ軸、縦線ｙ軸以外に４本の斜め対角線を加えて、全部で８本の「米」形の分岐があります。実際に漢字を写す時、交差点の筆画数も普通は８本を超えません。しかし、漢字の中の少なくない斜め書きは
３０°、６０°などの非標準的な角度でより綺麗です。したがって、２２．５度ごとに１本ずつ増加するように、追加または非４５°の角度でより多くの線をセットすることができます。各交点には１６の分岐があります。【００３２】  一つの字を母網と呼ぶなら、部分領域の画数群（漢字部品、またはその再結合）を取り出して、「部分網（一部のシンボルの組み合わせで構成される部分網があり、成分面積は国家標準部品の列を超える）」と呼ぶ。【００３３】  交点を単位として漢字の「母網」を分解し、マクロ的には「包囲類を封鎖する」サブネット、「開放交差類」サブネットにのみ分割することができる。一部の漢字部品は上記の２つの成分を含み、オプションで組み合わせ構造の「開閉混合類」を設定します。【００３４】大類：閉鎖シンボル｛［口］［ブロック］｝、開放シンボル｛［交］［枝］、［多枝］｝【００３５】  ――開放と閉鎖の区分基準は、複数の交点の間に画数の前後につながっているかどうか、構成された「口」の字の閉じた画数グループエリア（または閉じた部品）があり、あるものは閉鎖構造、ないものは開放構造である。【００３６】  ａ．閉塞包囲類のサブネットに取っているシンボルを「閉じたシンボル」といい、主にペンを必要としない「口」を指し、角にペンが必要な「ブロック」を増やして新たな補足案を構成することもできる。【００３７】  口：角のところはペンがいらない閉鎖的な画数の組、また“狭い意味の塊”を量って、全体の包囲の口は４つの角（つまり“口”）を含んで、３つの包囲の口は２つの角（例え
2020530601.tif 000007
【００３８】  角にはペンが必要な閉じた画数の組があり、また「広義のブロック」とも言われています。全体に囲まれたブロックは０つの角（例えば「共」の上、「并」）を含み、１つ（珍しい）、または２つの角（例えば「且」）、または３つの角（例えば「母」）を含みます。３つの囲いのブロックは１つ（例えば「力」）から２つの角（例えば「用」）を含みます。二重に囲まれたブロックは、角（例えば、「勺、广」）を含む。【００３９】  ――また、時々斜めのペン（多く見られない、例えば「井」の左下の「丿」、「身」の右下の「丿」）が必要です。【００４０】
2020530601.tif 000008
【００４１】  オプションとして、三角ブロック：全部で２つの角を含む「又」のように、２つの包囲
2020530601.tif 000009
す。不規則四辺形のブロック【００４２】  ｂ、開放交差類のサブネットワークにとって、シンボルは「開放シンボル」と呼ばれ、主に「交」、「枝」、「多枝」を指し、「交」は多くの筆画が一つの交点に交差することを指し、「枝」は複数の完全または不完全な「交」が一次元方向の線形結合を指し、複数の完全または不完全な「交」が二次元方向の直線グループを指す。合は「多枝」となります。【００４３】  交：１−８方向の分岐の一つの交点（通称「交」または「米」）を完全な「交」と見なすと、一部の漢字部品は分岐が不完全な「交」であり、例えば、才（５分岐）、十（４分岐）、丁（３分岐）など、「一」は２つの特殊な「交」と見なすことができる。【００４４】
2020530601.tif 000010
干上」など、開放的な一つの「枝」と呼ばれ、複数の完全または不完全な「十」の二次元方向の超線形結合、例えば「止」など、３つの交点間が形をなしている構造は、開放類の「２」である。同じように、「寸一失」は同じ骨格の「２本」、「電虫」の下半部は骨格の「２本」、（説明書の各「止」領域の内容は、「２本」が向きを変えて回転する様子がはっきりと示されている）、「家衣」は「介≒ｎ」型骨格の左半分［説明書の図２参照］を選択します【００４５】  ｃ．「開閉混合類」サブネット、例えば「杏、古」も同様であり、「万」は上部の開放部品「Ｔ」と下部の閉鎖部品「ｎ」（「」と隣接する囲いの開口部を下にした三包囲領域）からなる混合サブネットと見なすことができる。【００４６】＊  それらは以下の詳細特徴によってさらに小分けすることができます。完全度、向き、絶対位置、下級シンボルの個数（「枝」に含まれる交点数、「交」の交点ごとの分岐数、「ブロック」の必要ペン数、ブロック内のブロックの数及び内容）：【００４７】
2020530601.tif 000011
【００４８】  ブロック、交、枝のこれらの符号化シンボルは、完全度、数量以外にも、ブロック全体の「力、７、威」の角がそれぞれ方角に向けられているように、細分化されても良いが、以下の「優先的にブロックを取る」法によって、「二包囲ブロック」類に帰することができる。【００４９】  ――漢字の成分を作るときは、必ずしも外枠全体に「指」のような右上の１／４のエリアではなく、そのエリアの左下にある角は、字のエリアの右上にあるのではなく、
2020530601.tif 000012
【００５０】＊  漢字の異なる成分は、画数、画数（または部品）の間、異なる部分網の間で、互いに離れ、つながって、交差する方位関係に分けられます。【００５１】  ３）シンボルの組み合わせの特徴だけによって分類することができます。【００５２】  ａ．シンボルの組み合わせの方位――シンボル間の組み合わせを分割する際の相対的な方位を指し、その中の「成分の種類の組み合わせ」の３種類の場合によって、交差分類できます。「閉鎖類のシンボルのみを含む」類のシンボルグループ、「開放類のシンボルのみを含む」類のシンボルグループ、および「開放、閉鎖類のシンボルを兼ねる」シンボルグループ合：【００５３】
2020530601.tif 000013
【００５４】  ――四角いところに部品が離散している「：：」の字は少ないです。例えば「能」
2020530601.tif 000014
分」の「∴」の細かい種類に組み込むことができます。【００５５】  ――「十」型「多枝」は、簡体字が少ないので、この表には省スペースのために、一時的に「Ｌを含む」類に組み込む。【００５６】  ｃ．組み合わせ手順、【００５７】  ｄ．接続の程度は、切断／接続／交点となり、【００５８】  ４）同じように、上記の特徴に対してさらに交差して分類することができ、例えば上記特徴１、３のクロス分類は、主に以下のように分けられる。【００５９】
2020530601.tif 000015
【００６０】  ――矢印で示す閉じシンボル、矢印の末尾は開放シンボルを示し、┏は左下、左上、右上ともに閉じたシンボルを指し、┓┗┛同道理は他の方向を表し、上表のカテゴリを異なるキーにマッピングすることができ、［図１］に外枠を加えた大文字の英字母は例である。【００６１】  上記の「全体構造の特徴によって分類する」は、一般的に漢字構造が部品間の隙間があり、離散的な相互方向の場合、「分散不連続」の分割限界ルールを適用する。【００６２】  上記の「シンボルの種類の特徴、シンボルの組み合わせの特徴によって分類される」という場合、コードを取る際には、「里」の「田」と「土」が一点に接続されているような内部成分のシームレスな交点接続の部品を分解することができ、「接続できない」分割限界規則が適用される。【００６３】  すなわち、分解規則は五文字入力法と同じですが、「散」は部品間の自然な切れ、あるいは大きな隙間、シームレスなのは部品や画数群の間で交わったり、つながったりしますが、形の種類には明らかに違っている境界があります。【００６４】＊「骨格コード」内部符号化の分割とマッピング、入力：漢字全体を内部分離の隙間（各取出コードエリア「宮」間、各取出コードエリア「宮」内の切断を含む）、シンボルの種類が異なる（主に交差する部品の再分割を指す）を境界とし、「散在可能、連接不能」を分割した後、骨格コードは同じ漢字クラスターを同じ「キーパッド」にマッピングし、ユーザーが選択して入力します。【００６５】  「キー」は、「スクリーン仮想キー」上を指してもよく、「骨格コード」の全体的な符号化の代表ワードを提示してもよく、その代表的な、全部または部分的な骨格重コードワードを提示する必要があることによって、入力をユーザに促すことができます。本体キービット上にも同様にマッピングしてもよく、必要に応じて画面上で同期することができます。「骨格コード」の全体的な符号化は、その代表的なワードの全部または一部を表す、選択のために骨格の重いコードワードとともに提示される。【００６６】  キーパッドのレイアウトは、必要に応じて調整されてもよく、例えば相対的な位置、特に「字の中での数字取りとキーパッドマッピングの方位基本的一致原則」を押してレイアウトされてもよく、例えば「中心放射構造」は、符号取りシンボル、特に「ブロック」に従って漢字全体に位置し、「二次元キー」に配置されてもよい。盤」の対応する
2020530601.tif 000016
ボードの右下隅の対応するキーエリアにマッピングされます。【００６７】  ――「中心逆放射構造」は同じ原理で、反対方向の各キーを合わせます。【００６８】  同じように、シンボルの種類によってキーレイアウトを設定したり、個性の好みに応じて任意にキーレイアウトを設定したりすることもできます。【００６９】  ――詳細には、シンボル種類ごとにキーを分類し、符号とマッピングの方式例を取って、［図３］を参照してください。【００７０】  ――どのような規則、限界で分割されても、異なるキーパッドにマッピングされても、漢字の中の画数、画数の組は部品であり、上記の２つの種類のシンボルは望ましい。【００７１】  全体の字の内部成分の方位を一度に視覚化して現れて、その簡単ではっきりしない人間化のヒントはまたユーザーの主導的な学習を免れて、更に心地良くて、それが入力を免れて操作の使うスピードの効率を使用させます。（コンポーネントシンボルは最終的にはワード全体符号化「シンボル」を構成するので、結果によってキーボードの異なるビットにマッピングされ、コンピュータハードウェアというツールと効果的に結合され、有益な技術効果が実現される）。【００７２】  ３．前記各「骨格」内部のコード取、分割、マッピングの後、符号化を行い、「ワードインサイダー符号化データベース」に入力することができることを特徴とする請求項１および２に記載のスクリーン提示画面付き漢字骨格コード入力方法。【００７３】  好ましくは、様々なシンボルカテゴリ、方位構造の大きさカテゴリの特徴に従って、それぞれ対応する割当値および符号化を行う、請求項１に記載の特徴２および４に従って
2020530601.tif 000017
【００７４】  １）方位基本コードは、簡単な１０キーのテンキー「四角探し」または「四角探し」の形のコード入力法としてもいいです。漢字コードの長さは不定長で、全部で１０個の部品コードです。コンピュータキーボード上の３行×３列の９個の数字キーで表してもいいです。１キーは１つの部品に対応しています。部品のキー名はこの部品です。漢字を構成する文字セットから、漢字を符号化する部品（狭義または広義）の一つを選択し、「ブロック」を選択して、漢字を符号化する部品として選択します。「コードを取る方向とキーを打つ方向はほぼ一致しています。」原則として、選択したコード「ブロック」の漢字全体の位置に基づいて、それぞれの３行×３列の「九宮」二次元構造に投影します。キーボードの位置に応じて、この部品とコンピュータのキーボードの対応するキーのマッピング関係はそれぞれ次のようになります。【００７５】
2020530601.tif 000018
【００７６】  第二行：４キーは単語全体の「左中（←）部」に含まれるブロックをマッピングし、５キーは「中（）部」、６キーは「右中（→）部」、【００７７】
2020530601.tif 000019
【００７８】  ――一字の内部は九宮構造の９部分に分けられます。各部分の符号化部品はそれぞれの九宮の方位の９つのキーと一つずつ対応してマッピングします。【００７９】  各漢字（ブロックを含まない漢字を除く）はそれぞれの符号化手段である「ブロック」を分割し、先に四角の「角ブロック」を取り、次に各辺の中間領域「辺ブロック」を取り、取り終わるまで順次取り外す「ブロック」部品に対応する数字キーシーケンスはこの字の符号化であり、コンピュータキーボードにその文字の符号化を入力すれば、その文字の属する細かいクラスが得られる。型（普通は少量の重さがあります）。【００８０】  ――「一つのブロックも含まれていません」という字は、もう一つのキーを設定したり、あるキーを組み込んだりして、オプション案が第四行の「０」キーに設定されています。【００８１】  ――「左上角−右下角の対角にブロックが含まれています」、「右上角−左下角の対角にブロックが含まれています」は別にキー位置を設定してもいいです。４行目のように、またはキー位置を組み込んで、５または９キーのようにしてもいいです。【００８２】  ＊取りコード（優先度）ルール、特にコードビットの制限に適用され、すべての取りコードができない場合：【００８３】  全体の面積に占める割合の大きい部品を優先的に符号化
し、１／３、１／４、１／６、１／８、１／１６…の部品、例えば“品”の内上部の引き延ばされる“口”；【００８４】  一つの採コードエリア（すなわち宮格）において同時に開放・閉鎖シンボルがある場
2020530601.tif 000020
宝蓋頭の下のＴは無視される。［図６参照］【００８５】  例：下のキーボードのような形をしています。【００８６】
2020530601.tif 000021
【００８７】  聡１４７６９（または略式取法４７６９）、腰１４７６６（または略式取法４７６６（）、【００８８】  廖５、固５、【００８９】  銅３６９（または６）、トン３６９（または６）、バレル３９。【００９０】  ――「入力コードの順序を変更する」を選択して、フォールトコードを入力してください。ｌｉｚｉ
例えば「桶」７１＝１７。【００９１】  さらに、説明書の図面には、いくつかのカットコードの例が記載されている。［図１１、１８、１９、３０を参照］【００９２】  左右の構造の字は、左の中右の構造に比べて縦の中部にある部品が欠けているため、２、５、８のボタンを取らない。【００９３】  上下構造の字は、上下構造に比べて横中部にある部品が欠けているため、４、５、６キーを取らない。【００９４】  例えば、「開く」の左半分の一体、右半分の内はまた上と下の部分に分けられて、しかも離れます（即ち、切れます、明らかまたは微小な隙間があります）。【００９５】  例えば、「目」の左半分が一体となり、右半分が上下に分かれて接続されている（その「日」は下の画数グループとシームレスに接続されている）。【００９６】＊さらに重コードを識別し、同一の骨格キーの内部において、さらに請求項２に記載の「内部ミクロ構造特徴」に従って、領域またはサブカテゴリを細分化し、「相対方位」を押すようにさらに提示することができる。【００９７】  ――閉じた種類のシンボルの角、端のところはすべて開放種類のシンボルを接続することができて、例えば巳≠馬、尸≠甲、また日中の二つのブロックは縦の組み合わせです。また、例えば［図６］の右中部の「方」：【００９８】  ――様々な方向の部品間の「品」の字形の相対構造について、例えば、摂＝
３５６［右上の「耳」の実際のカバー領域は、「キーの位置が一致している」というボタンを押したが、実はすでに２、３両のキーが含まれており、フォールトコードが設定されている。【００９９】  ――ブロック中のブロックについて：完全または不完全なブロックで、内部にコンテンツが含まれている場合、ブロックを含むかどうかは同じです。ブロックの方位は角であるか、それとも端であるかによって細分化され、ヒントが与えられます。［図３］を参照してください。【０１００】  ――筆を執る、枝を曲がる、または開閉する二重囲いシンボルについては、例えば尸のように内部（すき間を隔てて）に内容が含まれている：例えば「癌」は、九宮で符号を取る、桁に制限があり、面積が大きいシンボルを優先的に取ると、中間横に並ぶ二つの口を無視し、ブロックコードだけを取ると６９、含まれる枝は７１３である。【０１０１】  ２）キーの数の範囲拡大案：【０１０２】  九宮のキーボードの鍵盤の位置は簡単ですが、容量が限られています。複雑な簡体字の部分は無視しなければならない部分があります。一つ一つ正確で、全部をカバーして番号を取ることができません。繁体字は例えば“覽”成分がもっと多くて、さらには「ブロック」を含めて十個ぐらいになります。だから、この九宮の構造は同じように拡張できます。３ｘ３＝九宮４ｘ４＝十六宮５ｘ５＝二十五宮…より正確に各部品に対応できます。【０１０３】  ３）シンボル種類階層拡張符号化方案【０１０４】  前節の「方位基本コード」では、閉鎖シンボル「ブロック」のみをとり、漢字符号化結果の重み付け範囲を粗く縮小することができ、開放シンボルの採符号を無視しても良いし、さらに詳細な特徴に従って細分化して情報を拡張することができ、例えばブロックの右上隅の字に「程、積、悍」などがある。左部、右下の部品はすべて開放シンボルで、その細い種類は異なっていて、あるものは交際して、あるものは枝で、「文字部品機内符号化情報データベース」略して「部品コード情報庫」を作成します。【０１０５】  ａ．九宮の構造の内部の各宮格（母宮格といいます）の内部を更に象眼したり、小さい九宮格（子宮格といいます）を分離したりして、本来は母宮格に写像されていたシンボルを交点単位で分解した後、それぞれの異なった方位の各子宮枠にマッピングします。その中に、各子宮格の内部には再び「米形」線分が含まれます。符号の分割の例は【図５、６】を参照してください。【０１０６】  一．ペンセグメント単位で符号化することができます。各「米」内部に順次にその方向に分岐線分があるかどうかを１または０として割り当てることができます。時計回りに０°線分から始まることができます。例えば、線分に線画が写像されたら「１」、そして４５°線分に線画が写像されたら「１」、…最後の３１５°線分には線画が写像されていて、画数がないと０になります。例えば、「才」＝１０１０１０１０１１１；「米」の形の周囲の正方形の子宮枠は、四辺にそれぞれの値が割り当てられます。また、各辺を中から取り外して、八段に形成した後にそれぞれの値を付けることもできます。【０１０７】  方式二．交点単位、限界で符号化する：グリッド（子、母グリッドのいずれでもよい）を複数の交点に分割し、それぞれ符号化する。【０１０８】  方法３．宮格子単位、限界で符号化する：グリッド（子、母のグリッドも可）を複数の領域に分割し、それぞれ符号化する。【０１０９】  方式４．分類別に符号化し、閉じたシンボルの「枠」、開放シンボルの「米」に分けてそれぞれ値、符号化する。【０１１０】  ――例えば［図６］の右中部の「方」の「Ｂ」の上下部分は全て無視しないで符号を取る時、同じ閉類に属します。【０１１１】  ｂ．前記複数の特徴を選択して、それぞれの複数の変数、割り当て値を規則的、正確な表現に設定し、数字、アルファベット、文字からなる１次元または２次元、多次元符号化シーケンスを含み、「部品情報庫」を構成する、請求項２に記載の特徴。【０１１２】
2020530601.tif 000022
【０１１３】
2020530601.tif 000023
【０１１４】
2020530601.tif 000024
【０１１５】
2020530601.tif 000025
【０１１６】
2020530601.tif 000026
３、４、３，【０１１７】
2020530601.tif 000027
【０１１８】
2020530601.tif 000028
【０１１９】
2020530601.tif 000029
【０１２０】
2020530601.tif 000030
【０１２１】
2020530601.tif 000031
【０１２２】
2020530601.tif 000032
【０１２３】
2020530601.tif 000033
【０１２４】
2020530601.tif 000034
【０１２５】  すべての漢字は正確で唯一の符号化値を持つことができます。【０１２６】  ｃ．その後、処理モジュールによって読み取られた「部品コード情報庫」から必要進数の対応する文字内コード、マシンコードに変換され、漢字結果が表示される。【０１２７】  ＊「部品コード情報庫」の符号化順序と読み取られることは逆のプロセスである：実際にコンピュータなどの計算装置の内部識別演算としての機内符号化処理、その文字に入力するデータを用いた場合、部品シンボルの取得コードは一定の規則、複数のステップで順次行うことができます。内、また左から右、上から下まで、または四角い、後の他に、時計回り、プログレッシブのように、シンボルオフによって形成されたいくつかの全体構造に対して相応の特殊な順序を制定することができ、左右型漢字に対して左、後左下、右上、再右下、包囲型漢字は外周、後の内容を先に制定することができます。【０１２８】  上記全体の過程は、具体的な形式が多く、一つ一つ列挙することができません。例えば、【０１２９】  １．構造体のタイプを定義する：【０１３０】
2020530601.tif 000035
【０１３１】  ２．構造体変数を定義します。【０１３２】  ｗｏｒｄ  ｘｘｘｘｘｘｘ＝｛″ｘｘｘｘ″のように、ｘｘｘ、ｘｘｘ【０１３３】  前のｘｘｘｘｘｘｘｘはコンピュータ読み取り可能な漢字コードを表し、対応する文字セットを呼び出すことができます。【０１３４】  ３．アクセス構造体：【０１３５】  構造体のメンバーにアクセスするには、直接メンバーの演算子を使用します。【０１３６】  ｗｏｒｄ  ｘｘｘｘｘｘｘ＝｛″ｘｘｘｘ″，ｘｘｘ，ｘｘｘ｝；【０１３７】  ｃｏｕｔ＜＜ａ．ｎａｍｅ＜ａ．ｘｘｘｘ＜ａ．ｚｏｎｅｂｉｔ＞【０１３８】  構造体変数については、メンバーに「構造体変数．メンバー」という形式でアクセスしますが、構造体ポインタに対しては、その指す構造体変数のメンバーにアクセスすると、「構造体ポインタ−」という形式をとります。【０１３９】  ３）本発明の前記方法は、コードを分解しても、限界の曖昧は生じない。例えば、
2020530601.tif 000036
は識別しにくい。この方法は回避でき、しかも、骨格の代表字は漢字の実際の細部まで正確に正確に書くことができ、存在しないペンとペンを表示しない。交差点、曲がった点を円形などで強調表示し、標準情報を提供すると、スキャン可能で正確に識別できる「新しい二次元コード」が形成され、例は［図８］を参照してください。【０１４０】  ４）上記「部品コード情報庫」方法は、「部品別検索」機能を実現することができます。【０１４１】  全体の案と同じで、ユーザは九宮母宮格の任意の領域を選択し、処理モジュールは選択を受信して、当該領域の部品の骨格、重み付け情報を読み取り、必要に応じて表示モジュールに表示を出力させる→ユーザーは具体的な領域骨格または具体的な部品を選択し、そして照会→コンピュータクエリの列挙にはそれが含まれている可能性がある。例えば「ポンド」のような選択のために、ユーザが右上の隅の領域を選択した後、右上の角に「立」を含むいくつかの骨格の重コードワードを調べてもいいです。必要ならば、右上の部品立か、それとも豊かを具体的に選択してもいいです。【０１４２】  ――要素特徴情報は、字形の他に、字形でない属性情報によって分類され、それぞれ符号化される。すなわち、部品自体は何らかの偏旁部の声側、形側、同音、近義などである。これによって、異なる骨格間、統一骨格内の部品間の種類、関係情報庫を構築し、共に処理するモジュールである。検索、処理；【０１４３】  ５）ワードライブラリの設定と呼び出し【０１４４】  ａ．漢字の書庫の数は数千から数万までで、辞書の数はもっと大きいので、全仮想キーボードの展示時に、もっと簡潔で、必要な文字を見つけやすいために、必要に応じて書庫から呼び出して、展示のワードセットの内容と範囲を調整して、等級、分類または分子セットの出力を行うことができます。【０１４５】  典型的な次元は例えば、意味（例えば「ある業界」、「商品のブランド名」について）を入力し、背景シーン、常用度、属性、品詞（例えば「動詞」または「名詞」）を入力します。）、範囲（例えば「同音字」）；【０１４６】  ――特に、ワードライブラリの範囲は、「同音文字」のみを表示する場合には、重いコードワードの結果は、一般的に数十個しかなく、「図１」の列を参照してください。同音文字サブセットは、例で見られます。他の「ピンイン＋形コード補完」を用いて同音語の入力を減少させるよりも、一方的に、切り裂かれているのは、字頭、語尾だけを取ることができます。コードは、本発明によって提示されるのは字全体の骨格であり、より一目瞭然であり、自然であり、直観である。【０１４７】  ――同音字プロンプトのブロックインターフェースのモジュールはまた、検索
犬、Ｇｏｏｇｌｅ、ｑｑ、マイクロソフトなどの外部ピンイン入力法にドッキングして、その入力結果を取得し、本発明の方法で、同様に展示し、その他の演算と機能を後続する。【０１４８】  ｂ．本ソフトウェアはクリックを受ける以外に、ユーザーからの入力も受け付けています。分解や見つけられない単語はなく、画面に強調表示し、位置を提示します。【０１４９】  ｃ．ある単語を入力または選択したら、辞書を検索し、その単語からなる単語を同期して表示し、同じ道理で同じグループまたは文を表示することができます。【０１５０】  ――入力＞１文字の構成語の場合は、「検索辞書、組詞の重さ（公知技術の「語定字」に相当）」でも大部分の重さをフィルタできます。「１枝」の骨格だけを入力すれば、重
2020530601.tif 000037
【０１５１】  インタフェースにおける漢字間の関連関係、すなわち誰と誰が組み合わせるべきかについては、フォント、辞書とは違って、処理モジュールによって論理ルール、演算処理ができます。複数の単語間の組み合わせの流れ、構造、結果を含めて、表示モジュールに伝【０１５２】  ｅ．また、曖昧な字を分解したり、間違った字を分解したりするためには、フォールトコードとして書庫に収録することができます。【０１５３】  ４．前記漢字スキームは完全に同じ理屈で朝鮮文字、韓国語に適用されることを特徴とする、請求項１乃至４のいずれか一項に記載の画面提示画面付き漢字骨格コード入力法。韓国語は母音子音２種類の文字しかないので、シンボル種類の特徴、全体構造特徴、シンボル合成特徴の基本などがある。同じ漢字であるため、シンボルの組み合わせの採符号も完全に同等であり、さらにマッピング、入力及び符号化を行う方法も完全にそのまま（略）：韓国語の各母音子音文字の分類は以下の通りであり、その大きさの種類に応じてキーボードの異なるキー、キー名はコードである：【０１５４】
2020530601.tif 000038
【０１５５】  ――「二枝」類では、太い枝を優先的に取って、残りの横書きは副次的と見なして
2020530601.tif 000039
【０１５６】
2020530601.tif 000040
【０１５７】  ５．前記ステップ２の仮想キー領域には、プロンプト画面が表示され、【０１５８】  ユーザ入力とマシン出力、さらにはインタラクティブプロセスも、一つの画面に合わせて、同じ位置にある（他の特許はスクリーン選択後にカーソルに出力するだけであり、本発明は所定の固定位置を示し、検索しやすい）と統一した全体的なレイアウトとダイナミック構造を有している。見たところ所得である。【０１５９】  ａ．２つの表示方法があります。【０１６０】  一つの方法では、同じ骨格の代表字を骨格結合して並べて、各字に含まれる須筆の数、方向の違いに対して、異なる形式（例えば、太さが異なる線分）で区別して表示することができ、ダイナミックなスライド、フレーム間グラデーション動画で表現することもでき、小さな表示領域で与えることができる。ユーザはヒントとして、ユーザがある種の骨格をクリックしたり、選択したりした後、骨格カテゴリの「同類、同族」の重いコードワードを展開または拡大する。【０１６１】
2020530601.tif 000041
倍滴摘培」は全部で１８文字で、それらのすべての筆画は一つの骨格（骨格コード）の範囲に組み込まれます。各種類の骨組みに分類され、主観的任意性がない。【０１６２】  方式二、一定の順序で並べてレイアウト、展示を分け、共有ユーザーが直接選択またはクリック、クリックし、【０１６３】  ［図］一般的に、最初の左、後の順に字の最初の部品、末尾の部分を取り、各行は最初の部品によって整列され、列は後ろの部品によって整列されます。ここで、同じ偏旁部首、声脇などの属性特徴に従って相互に分類され、行または列に対して、対応する二次元配列、データベースで結びます。構成中はレイアウトを並べてもいいです。検索演算に便利です。【０１６４】  ｂ．複数のディスクをスクリーンと同時に表示することができます。同じように１つ以上のスクリーンキーボードを設置して並行して使用し、互いに関連付けをして、情報を増加させることができます。【０１６５】  ｃ．表示時には、表示内容、オブジェクトに対して処理ユニットにより区別された書式表示、強調表示も行う。【０１６６】  この「書式、様式」とは、異なる形状、パターン、およびスケーリング、太さ、着色、線型、グレースケール、影などの装飾方法を用いて、符号シンボルを取り、特に視覚的に最も目立つ「ブロック」、キー名、「角点」、「交点」、「端点」区別して表示し、比較を形成する。【０１６７】  インターフェース・プロンプトの異なる内容（関連する単語など）間の関係（関連、連想、導出、ステップ、流れなど）については、連線を表示して表現することができる。【０１６８】  （三）システム部分を入力する【０１６９】  ６．画面提示画面付き漢字骨格コード入力システムの特徴は、【０１７０】  受信モジュールは、ユーザからのキーボード操作、他の入力方法の文字入力、さらには他のプログラムの操作命令または接続先の動作および情報を取得することができる。【０１７１】  処理モジュールは、モジュールから取得したキー操作により、該当入力結果を読み出し、検索、呼び出して表示モジュールに表示し、記憶モジュールの情報と比較して演算を行い、関連付けられた単語のキー（または座標）を特定し、表示形式や表示ワードの組み合わせを強調表示することができます。システムの接続など、インタラクティブインターケェースの変化を生成した結果、インターフェースに出力して表示します。【０１７２】  記憶モジュールは、様々なコンポーネントコード情報ライブラリ、ワードライブラリ、ケーパスおよび重量コード結果コード表、およびワード関連データベース、インテリジェフトアルゴリズム、論理規則、意味文法規則にアクセスするために使用される。【０１７３】  表示モジュールは、本発明の入力方法提示画面を表示するために、文字構造レイアウトのキスト入力ヒントを使用者に提供し、上記入力装置によって上記入力を行う。【０１７４】エプションとして、モジュールを接続して、インタフェースの各キーの上の文字を、計算対象を接続して、双方向に送信し、取得することができます。【０１７５】  ７．前記接続モジュールの接続対象とは、画面提示画面を有する漢字骨格コード入力システである、ことを特徴とする請求項６に記載の方法。【０１７６】各漢字（���らには細分された内部画数、部品単位まで）は、異なる形、符号化によって、東方悠久文明、及び人類が理解している様々な意味を表しています。その間に何度も組み合わせのプロセスパスを接続し、千変万化していますが、その宗から離れない幾何構造（図と類似）を持っています。エネルギーの構造：【０１７７】  インタフェースの様々な「ワード」は、その意味に近い対応するコンピュータ命令またはコマンドを表しています。総称して計算対象として、ある単語をクリックして、その文字リンクを実行または実行できる計算対象を選択します。同じ道理で、逆にインタフェースの各文字は、関連する他人、外部プログラムからの操作や情報を指向的に受信できます。【０１７８】  リンク、プログラミングコマンド、データオブジェクト、データベースモデル、メッシュデータ構造、モジュール、コンテナ、文字列、構造体、結合体、配列、関数変数、コントロール、ソースコード、コンパイラ、下部マシンコード命令、数学モデル、演算フロー、対応するコンピュータの下のコンパイル、マシンコード、コマンド、コード、ステートメント、対応するオブジェクトは、動的リンクライブラリ、アプリケーションインターフェースＡＰＩ、サービス、モジュール、関連リンク、アドレス、プログラム、具体的な内容、対応ルールの決定と演算で、世界共通の外部基準を確立したり、システム内のインターフェースオブジェクトデータベースに従って行うことができます。【０１７９】  例えば「房」の字は検索サイトのＵＲＬにリンクして、このウェブサイトと情報を交換したり、特定の命令を相互に接続して実行したりします。「歌」をクリックして曲を再生するコマンドやプログラムなどを実行します。【０１８０】  したがって、インタフェース構造を統一することで、インタフェース相互作用（入力検索、出力、情報表示、操作など）、人人インターフェース（交流教育協力活動、ユーザーの万能ソフトウェアクライアントになる）、マシンインターフェース（各種計算装置のバックグラウンド演算のコード、コンパイル、プログラミング開発、記憶、転送などの各レベルで、各種プログラミング演算方法の共通の新機軸を実現します。ツールは、プログラミング開発者が見た視覚的プログラミングインターフェースとなります。【０１８１】  ８．汎用コンピュータ、埋め込みコンピュータ、マクロプロセッサ、または他のデバイスにおいて、ソフトウェアまたはファームウェアによって、上記１〜７のいずれか１つの入力方法を実現することができ、主に、上記の入力法を含む画面提示画面を有する入力装置。【０１８２】キーボード操作受信部は、本体キーボードのキー操作信号を受信したり、マウスクリックやタッチスクリーンで検出されたタッチ信号などの仮想キーボードに対するキー操作信号を受信したりする。スクリーンのキーボードを触ったり、ホワイトボードのキーボードを教えたり、仮想キーボードを投影したりします。マウス、指、タッチスクリー
ン、光ペン、センサー、脳マシンのインターフェース、視点追跡装置などが使えます。【０１８３】  処理ユニットは、上記入力信号に基づいて、上記符号表を照会して検索し、対応するメッセージ情報を生成し、結果を表示モジュールに出力して表示するなどの処理を行う。【０１８４】  記憶ユニットは、様々なコンポーネントコード情報ライブラリ、ワードライブラリ、コーパスおよび重量コード結果コード表、およびワード関連データベース、インテリジェントアルゴリズム、論理規則、意味文法規則にアクセスするために使用される。【０１８５】  表示ユニットは、本発明の入力方法を示すための画面を表示し、文字構造レイアウトのテキスト入力ヒントを表示します。を使用者に提供し、上記入力装置により上記入力を行う。【０１８６】  ９．前記１〜８のいずれか一項に記載の入力方式においてスマート連想を実現する装置を備えることを特徴とするスクリーン・プロンプト・インターフェースを有するネットワーク入力端末。【０１８７】  メモリ、プロセッサ、およびメモリ上に記憶され、プロセッサ上で実行され得るコンピュータプログラムを含み、前記プロセッサは、前記コンピュータプログラムを実行する際に、請求項１〜９のいずれか一項に記載のステップを実現する。【０１８８】  １０．プロセッサによって実行されるとき、請求項１乃至５のいずれか一項に記載の語彙推薦方法のステップを実施するコンピュータプログラムを記憶するコンピュータ可読記憶媒体。
【図面の簡単な説明】）【０１８９】  図１：文字インタフェース符号化提示案。【０１９０】  図２−８：本文を参照して説明する。【０１９１】  図９−３５：符号取分類レイアウトの総表は、共通規範漢字表３５００字を採用する。【０１９２】  表の中で特殊な明記以外に、まず最初の部品によって「行」を分けて、後ろの部品によって「列」を分けて、もうすぐ上か左の同じ字で同じ行に揃えて、下か右の同じ字を同じ列に揃えます。【０１９３】  中元を含む種類と個数によって、それぞれ下部に表示されます。【０１９４】  ブロッ
クなし：細い点線＝１開中元−連−１開中元【０１９５】
2020530601.tif 000042
【０１９６】  ２つのブロックを含む：細い実線＝２つの閉じた中元−クリップ−１開中元、太い実線＝２閉中元−つかみ−２開中元【０１９７】  太い実線＝２は中元−連−２は中元を開けて、双実線＝２あるいは３は中元を閉じて連続的に隣接します。【０１９８】  柵の中の多くは開けたり閉じたりする中元を含んでいます。あるいは中元だけ閉じたりします。【０１９９】  枝の並び順：下左角−下右角（より少ない）−上左角（より少ない）−上右角−−各向きのｎ、数【０２００】  枠を入れるというのは、同じクラスに属しています。表の容量が足りないため、他のクラスの位置を占用します。
【発明を実施するための形態】
）
【実施例】
【０２０１】  四角の角を探して法を検査して字の規則を検査します。【０２０２】
2020530601.tif 000043
【０２０３】
2020530601.tif 000044
【０２０４】
2020530601.tif 000045
【０２０５】
2020530601.tif 000046
【０２０６】  すべて無視して代替の採コード方式を形成し、技術効果は低下しますが、思考を減らすことができます。
【図１】
2020530601.tif 000054
【図２】
2020530601.tif 000055
【図３】
2020530601.tif 000056
【図４】
2020530601.tif 000057
【図５】
2020530601.tif 000058
【図６】
2020530601.tif 000059
【図７】
2020530601.tif 000060
【図８】
2020530601.tif 000061
【図９】
2020530601.tif 000062
【図１０】
2020530601.tif 000063
【図１１】
2020530601.tif 000064
【図１２】
2020530601.tif 000065
【図１３】
2020530601.tif 000066
【図１４】
2020530601.tif 000067
【図１５】
2020530601.tif 000068
【図１６】
2020530601.tif 000069
【図１７】
2020530601.tif 000070
【図１８】
2020530601.tif 000071
【図１９】
2020530601.tif 000072
【図２０】
2020530601.tif 000073
【図２１】
2020530601.tif 000074
【図２２】
2020530601.tif 000075
【図２３】
2020530601.tif 000076
【図２４】
2020530601.tif 000077
【図２５】
2020530601.tif 000078
【図２６】
2020530601.tif 000079
【図２７】
2020530601.tif 000080
【図２８】
2020530601.tif 000081
【図２９】
2020530601.tif 000082
【図３０】
2020530601.tif 000083
【図３１】
2020530601.tif 000084
【図３２】
2020530601.tif 000085
【図３３】
2020530601.tif 000086
【図３４】
2020530601.tif 000087
【図３５】
2020530601.tif 000088
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
１．画面提示画面付きワードバックボーン入力法は、以下のステップで入力が完了することを特徴とする：１）採コード：
ａステップ．ワード内部符号化の選択
「グリッドモデル」を設定し、複数の平行な横線、縦線、斜線を織り交ぜて構成されています。つまり二次元
方向に展開された複数の「田」に対角線を加えて構成されています。各交点は全部で８本の「米」形の枝を伸ばして、必要に応じてより多くの枝を設定できます。
漢字の画数の横行はいずれも模型の該当線分にマッピングできます。交点を単位として、閉鎖シンボル、開放シンボルの二つの種類に分けられます。区別基準は複数の交点の間に画点がありますか？
閉じたシンボル：｛口｝［ブロック］｝の角には、筆の必要がないことを「口」といい、角にはペンの必要がないことを「ブロック」といいます。これらは全部不完全な場合を含みます。すなわち、二辺包囲、三辺包囲です。方案１、「口」だけを閉鎖シンボルとして、方案２、「口、ブロック」をともに閉鎖シンボルとします。方案３、「口、ブロック」を一つずつ「三角ブロック」を含みます。
開放シンボル：｛交｝［枝］［複数枝］｝、「交」は複数の線が一つの交点に交差することを指し、交点ごとの分岐数は完全で不完全な数を含み、「枝」は複数の完全または不完全な「交」が一次元方向の直線結合を指し、「多枝」は複数の完全または不完全な「交」が二次元方向の組み合わせである。よくある
上述のシンボルの一つは、完全度、数量の詳細特徴によってさらに細かく分類することができ、「交」の、「枝」に含まれる交点の数、ブロック内のブロックの数及び含有内容、「ブロック」の必要筆数を含む。
上述のシンボルの一つは、更に向き、部位の詳細特徴によってさらに細かく分類することができ、ここでは、閉類シンボルが角／端に開放類シンボルを接続することができる。
2020530601.tif 000089
――「二枝」類では、太い枝を優先的に取って、残りの横書きは副次的と見なしていま
2020530601.tif 000090
「ブロック」とする。上の表の方案は以下のマッピングと合わせて、入力の一環を提示して、一連の朝鮮文字の「内部コード入力法」になります。
一つ上の表の方案は以下の構成コード、マッピング、入力環節を提示して、朝鮮文字面骨格コード入力法になります。
ｂステップにおいて、ワードの「内部符号化」を用いて、その「ワード全体符号化」を構成する各文字の「全体構造」と「シンボル種類とその組合せ方位、連結」によって交差分類され、すなわち各種の全体構造を持つ漢字全体の「骨格コード」を構成する。
一つの「全体構造」とは、漢字全体を内部の部品、断裂の隙間、すなわち「離散／接続／交差」によって境界線とし、「分散しても接続しなくてもいい」と分解し、形成された各種の全体構造を含む：
１つの「字形構造」は、以下を含む。
基本構造−−
単体、雑合≒の典型的な方案の中の「十、Ｔ、ｈ」型の「多枝」、包囲、部分包囲、
上下、左右、上中下、左中右≒の典型案の「川」タイプ：
ミックス構造
上下左右；
まずは左（中）右、後（中）下に分けて、
まずは上〈中〉下、後は左〈中〉≒の典型案の「品」型に分け、
及びそれぞれに囲まれ、半分に囲まれた≒典型案の「Ｌ」型
マルチハイブリッド構造
まず左右に分けて、後に上下に分けて、更に左右≒の典型的な方案の中の“品物”の型を含みます。
上から下、後から左右に分けて、上から下まで≒の典型的な方案の中には「品」型が含まれています。
及びそれぞれが包含している、半包≒の典型的な方案の中に「Ｌ」型が含まれています。――つのうちの連結部品の内部は、さらに、含まれる小さいシンボルカテゴリに従って、境界回避行として、ｚを細かく取り外すことができます。
朝鮮文字の中で同じように、部品間の隙間距離がはっきりしない／接続していて、カテゴリ別に分離したい場合、しかも九宮ブロック間の連続によって、コードマップを分類し、次に新たに区分された領域内のシンボルの大分類によって細分化することができる。
一つ一つの「シンボルの種類とその組合せの方位、接続」とは、単一の漢字の内を「ブロック」に分け、異なるブロック内にあるシンボルの種類とその相互の方位、接続／切断の程度関係を指し、その中の基本的な「ブロック」案は３行ｘ３列の九宮エリアと２行ｘ２列の四宮格子ブロックを採用し、同理は３ｘ３＝九宮、４ｘ４＝１６宮、５ｘ５＝２５宮…より正確に各部品に対応することができます。
一つの「連結」とは、異なる宮格のシンボル間の接続情報を指し、「品」の字の上のように連結されている
２）マッピング
骨格コードと同じ字クラスターを同一のキーパッドにマッピングし、複数の異なるキーパッドの間でカスタマイズしてレイアウトを調整する必要がある。シフト、マージ（方向など）関連の種類、選択部分などを含む。
その中の典型的な方案は下表の通りで、表の中の第４区は「ブロック」を押して漢字全体の中の位置に位置し、「コードを取るとキーを打つ方向が一致する」方法を押して、「二次元キーボード」の対応するキーエリアにマッピングします。
2020530601.tif 000091
――矢印の方向は、閉じたシンボル、矢印の末尾を示すオープンシンボルであり、
“┏”その角が指す左上角および左下、右上隅には閉じたシンボルがあり、
“┓”とは、その角が指す右上角および左上、右下ともに閉じるシンボルを指し、
“┗”とは、その角が指す左下角および左上、右下ともに閉じるシンボルを指し、
“┛”とは、その角が指す右下角および右上、左下ともに閉じたシンボルをいう。
一−３行または３列のレイアウトの四辺中部のシンボルを「中元」と呼び、表の「中、中」は「主中元、中元を含む」という意味であり、表の「全開／全閉」は「両端はすべて開放シンボルであり、両端は全部閉じるシンボルである」という意味である。
３）入力
ユーザはそれぞれのキー入力をクリックし、キー位置はエンティティまたは仮想キー位置を含み、仮想キー領域は、その「骨格コード」全体の符号化の代表ワード、およびその代表の全部または一部と骨格重コードワードを提示して選択する必要がある。
【請求項１】
２．前記各「骨格コード」の内部符号化及び「字元情報庫」の検索、入出力、演算：
具体的なコードの方案は一々兼ねてセットの植立の１種の簡単な１０鍵盤の形のコードのインプットメソッドｚを形成することができます。
ａ．四角いブロックを探す方案は、「ブロック」に不完全なブロックが含まれているので、「四角探し」方案とも呼ばれています。
漢字コード長は不定長で、全部で１０の部品コードです。コンピュータキーボード卜の３行ｄ列の９つの数字キーで表してもいいです。１集は１つの部品に対応しています。部品の対応するキー名はこの部品のコードです。漢字を構成する文字構成部品の中から１つの部品の「ブロック」を選択してください漢字を符号化する部品は「採コードと鍵盤の方位がほぼ一致する」という原則を押すと、この「ブロック」部品とコンピュータキーボードの対応する鍵盤のマッピング関係は一つに分けられます――
2020530601.tif 000092
第二行：４キーは字の中の「左中（←｝部」のブロックにマッピングされ、５キーは「中部、６キーは「右中（→）部」のブロックになります。
2020530601.tif 000093
ｂ．四辺のブロックを探す方案、
まず四角の「角ブロック」を取り、次に各辺の中間領域「辺ブロック」を取り、取り終わるまで順次取り外す「ブロック」部品に対応する数字キーシーケンスはこの字の符号化となります。
「開閉皆取り」のプラン
上記の閉鎖シンボルに加えて、開放シンボルも一括して符号化し、さらに詳細な特徴別に細分化して情報を拡充する。
上記の各案は、一つの「ブロック」にも含まれていない字に対して、もう一つのキー０キーを設定します。
コンピュータのキーボードにこの文字のコードを入力すると、その文字が得られます。
一つはグリッドの数によって制限されています。全部のサイズを取れない場合、優先的に全宇面相の比率が大きい部品に対してコードを取ります。
一つずつのコード宮格において同時に開放・閉鎖シンボルがある場合、閉鎖シンボルを優先的に取り、多くの開放シンボルを無視する。
２）符号化の割当方法
ａ．九宮の構造の中の各宮格を「母宮格」とし、内部をさらに象眼またはより小さい「子宮格」とし、総称して「格子」と呼ぶ。典型的には九宮格であり、本来は母宮路に写像されたシンボル技の交点を単位として分解した後、それぞれの方角の各子宮枠に写像する。
方法１．一つの方法で、ペンのセグメントを単位として符号化し、グリッドを複数のペンセグメントに分割し、部品をそれぞれ符号化する。
方法２．つの方法で、交点単位で符号化し、複数の交点に分割して、コンポーネントをそれぞれ符号化する。
方法３．宮格単位で符号化し、グリッドを複数の領域に分割して構成要素をそれぞれ符号化する。
方式４．分類ごとにそれぞれ符号化し、閉じたシンボルの「枠」、開放シンボルの「米」に分けてそれぞれ値を付け、符号化し、各開放部品の「米」内部証にそれぞれの方向に分岐線分があるかどうかで値を１または０とし、その４つの辺にそれぞれ値を割り当てたり、各辺を中から取り外し、８つの段を形成した後に同じ値を割り当てます。
ｂ．さらに詳細な特徴に従って情報を細分化し、各種変数、賦値を設定して、奇数規則、正確な表現を行い、数字、アルファベット、文字からなる符号化シーケンスを含み、「部品級文字機内符号化データ情報庫」を略称して「ワード情報庫」と呼ぶ。
ｃ．その後、処理モジュールによって読み取られた「ワード情報庫」から必要進数の対応する文字コード、マシンコードに変換され、漢字の結果が表示される。
３）「ワード情報ライブラリ」の検索、入出力、演算機能の実現方法
ａ．部品級機能
「部品別検索」機能
全体案と同じように、ユーザーは九宮母宮格のいずれかの「子宮格」領域→処理モジュールを選択して選択を受け、読み取ります。
このエリア構成要素の骨組み、およびその重さ情報は、表示モジュールに表示させる必要があるに応じて、ユーザは、具体的にこのエリアの骨格または特定のコンポーネントを選択し、照会→コンピュータクエリのリストには、その１つまたは複数の骨格のフルワードが含まれ、選択のために提示される。
カテゴリ属性情報の検索演算機能：
字形を除いて、同じ道理は非字形の属性情報によって分類し、それぞれ符号化することができます。すなわち、部品自体は何らかの偏旁、部首、
音の側、形の側、同音、近義の部品など、これによって、異なる骨格に位置する異なる方位の部品間の「カテゴリの属性関係」情報ライブラリを構築し、処理モジュールの検索、ｚを計算することができる。
ｂワードレベル機能
必要に応じて、格付け、分類、または分子セットの出力ができます。
単語ライブラリの範囲は、「同音文字」のみを表示するように小さくすることができます。
一つの同音字プロンプトのブロックインターフェースのモジュールは、外部ピンイン入力法にもドッキングし、その入力結果を取得し、本発明の方法と同様に、他の演算および機能を示すことができる。
一つのソフトウェアはクリックを受ける以外に、ユーザーからの入力も受け付けています。分割や見つけられない単語はなく、インターフェイスに強調表示され、その位置を教えてくれます。
一つはまた、簡単に曖昧な字を分解したり、間違った字を分解したりする場合、フォールトコードとして書庫に収録することができます。
ある単語を入力または選択したら、辞書を検索して、その単語からなる単語を同期して表示します。
１つは入力＞１つの単語を使って、単語を構成する場合、「検索辞書、グループワードを重なりにする」つまり「ワード定」でも大部分の重コードをフィルタできます。インタフェースにおける漢字語間の関連関係、すなわち誰と誰が結合するべきかについて、フォント、辞書とは違って、処理モジュールによって論理規則に基づいて、演算処理が行われます。複数の単語間を含みます。の組み合わせの流れ、構造、結果を表示モジュールに送ります。
つまり、記憶モジュールは、様々なコンポーネントコード情報ライブラリ、ワードライブラリ、コーパスおよび重量コード結果コード表、およびワード関連データベース、論理規則、意味文法規則、スマートアルゴリズムにアクセスするために使用される。
【請求項３】
前記仮想キー領域には、プロンプト画面が表示され、ユーザ入力、マシン出力、インタラクションプロセスは、一つに結合され、スクリーンの対応する位置に結合され、統一された全体的なレイアウトと動的構造を有し、前記参照すると、すなわち、達成されることを特徴とする請求項１または２に記載の漢字バックボーンコード入力方法。
表示方式−：骨格の代表字と、その骨格に合わせて重ねて置いて、各字に含まれる須筆の数、方向の違いについて、異なる形式で区別して表現したり、ダイナミックなスライド、グラデーション動画で先着順に現れたりして、ヒント情報を表示するエリアを縮小して、ユーザがクリックしたり、ある種の骨格を選択したりして、その骨格の種類の下に展開したり、拡大したりすることができます。の「同類、同族」の重いコードワード。
表示の形態二において、一定の順序でレイアウトし、並べて表示し、ユーザがクリックし、キーをクリックして選択するために、典型的な実施形態では、まず左、後の順に字の最初の部品、末尾の部品を取り、各行は最初の部品によって整列し、各列は後ろの部品によって整列することができる。または列はそれぞれの二次元配列、データベース構造において同じ配列で配置され、検索演算に便利である。
また、複数のディスクを同時に表示することができます。同じ道理で１つ以上のスクリーンキーボードを設置して並行して使用し、互いに関連してプレイし、情報を増加させることができます。
表示時には、表示内容、オブジェクトに対して処理ユニットにより区別された書式表示、強調表示も行います。
一つの「書式、様式」とは、異なる道、模様、およびスケーリング、太さ、着色、建設型、階調、影などの装飾方法を用いることをいう。
関連、連想、導出、ステップ、流れなどを含めて、インタフェース・プロンプトの異なる内容、単語間の関係について、連線を表示して表します。
インタフェース・プロンプトの異なる内容、接続、単語は、その意味に関連したそれぞれの「計算対象」にリンクし、実行し、実行し、実行することができます。
すべて人、人、機の相互作用の組み合わせは活動と各方面を運行してこのインターフェースの中の字間の配置と接続の構造を統一することができます。
【請求項４】
前記分割、符号取方法で形成された各骨格の代表字は、代表される各文字に具体的にどのような筆画、必要な筆があるかを精確に表示し、前記「フォーマット、スタイル」で交点、曲がり点を強調表示し、スキャンおよびスキャンのための標準情報を提供することを特徴とする請求項１または２に記載の漢字バックボーンコード入力方法。正確に識別された「ペンセグメント式二次元コード」ｚ
同じ理屈で、符号を取るシンボル、視覚的に最も目立つ「ブロック」、キー名、「角点」、「交点」、「端点」及び「横置き押え」、５種類のペンを外す８つの方向」を区別して表示し、対比、識別を助ける必要がある。
【請求項５】
メモリ、プロセッサ、およびメモリ上に記憶され、プロセッサ上で実行可能なコンピュータプログラムを備え、前記プロセッサは、前記コンピュータプログラムを実行する際に、請求項１〜４のいずれか１つのステップを実現するように構成された画面提示インターフェースを有するネットワーク入力端末。
【請求項６】
プロセッサによって実行されるとき、請求項１乃至４のいずれか一項に記載のステップを実現するコンピュータプログラムを記憶したコンピュータ可読記憶媒体。
【国際調査報告】
2020530601.tif 000094
2020530601.tif 000095
2020530601.tif 000096
2020530601.tif 000097